(57)【特許請求の範囲】
【請求項１】
高層建物の墜落防止柵の健常者用手摺りよりも低い箇所に高齢者用手摺りが設置され、該高齢者用手摺りは複数の短尺管が連続的に接続されて形成され、各短尺管の一端部から出没するラッチが隣接する短尺管の他端部に挿入されて各短尺管同士が接続され、各短尺管は墜落防止柵の支柱に回転軸で回転自在に取り付けられて所定の力が作用すると回転軸を中心に回転することを特徴とする手摺り。
【請求項２】
高層建物の墜落防止柵の健常者用手摺りよりも低い箇所に高齢者用手摺りが設置され、該高齢者用手摺りは複数の短尺管が連続的に接続されて形成され、各短尺管の一端部から出没するラッチが隣接する短尺管の他端部に挿入されて各短尺管同士が接続され、各短尺管は墜落防止用柵の支柱に上部側が手前に傾斜した斜材で回転自在に取り付けられて所定の力が作用すると斜材の下部を中心に回転することを特徴とする手摺り。
【請求項３】
高齢者用手摺りは４０ｋｇ以上の力の作用によって回転することを特徴とする請求項１または２に記載の手摺り。
【発明の詳細な説明】
【技術分野】
【０００１】
本願発明は手摺りに関するものである。
【背景技術】
【０００２】
集合住宅などの高層建物の墜落防止柵については、建築基準法施工令に「高さが１．１ｍ以上」と定められている。しかし、この墜落防止柵１９の上部に設置された健常者用手摺り２０は、図８に示すように、高齢者にとって高すぎるために利用しにくいという問題があった。また、昨今のバリアフリーに対応した各地方公共団体における「まちづくり条例」により、約０．８５〜０．９ｍ程度の高齢者用手摺り２１の設置が求められている。また、その他の手摺りとしては、例えば特開２００４−９２２４５号の発明が知られている。
【特許文献１】特開２００４−９２２４５号公報
【発明の開示】
【発明が解決しようとする課題】
【０００３】
しかし、上記のように墜落防止柵の中途部に高齢者用手摺りを形成すると、年少者がこれを足掛かりに墜落防止柵を乗り越えて墜落事故を起こすという問題があった。
【０００４】
本願発明はこれらの問題に鑑みてなされたものであり、その目的は、手摺りの機能を保持しながら高齢者が利用しやすく、かつ年少者の墜落事故も予防できる手摺りを提供することである。
【課題を解決するための手段】
【０００５】
以上の課題を解決するための手摺りは、高層建物の墜落防止柵の健常者用手摺りよりも低い箇所に高齢者用手摺りが設置され、該高齢者用手摺りは複数の短尺管が連続的に接続されて形成され、各短尺管の一端部から出没するラッチが隣接する短尺管の他端部に挿入されて各短尺管同士が接続され、各短尺管は墜落防止柵の支柱に回転軸で回転自在に取り付けられて所定の力が作用すると回転軸を中心に回転することを特徴とする。また高齢者用手摺りは４０ｋｇ以上の力の作用によって回転することを含むものである。
【０００６】
また手摺りは、高層建物の墜落防止柵の健常者用手摺りよりも低い箇所に高齢者用手摺りが設置され、該高齢者用手摺りは複数の短尺管が連続的に接続されて形成され、各短尺管の一端部から出没するラッチが隣接する短尺管の他端部に挿入されて各短尺管同士が接続され、各短尺管は墜落防止用柵の支柱に上部側が手前に傾斜した斜材で回転自在に取り付けられて所定の力が作用すると斜材の下部を中心に回転することを特徴とする。また高齢者用手摺りは４０ｋｇ以上の力の作用によって回転することを含むものである。
【発明の効果】
【０００７】
大規模な吹き抜けをもつ建築物や集合住宅の開放廊下において、高齢者や年少者の利便性と安全性を確保することができる。また高齢者は体を預けて専用の高さの手摺りを利用することができる。また年少者は高齢者手摺りを足掛かりにして墜落する事故を防ぐことができる。
【発明を実施するための最良の形態】
【０００８】
以下、本願発明の手摺りの実施の形態を図面に基づいて説明する。この手摺りは大規模な吹き抜けをもつ建物の墜落防止柵や集合住宅の開放廊下の墜落防止柵に取り付けられるものであり、高齢者と年少者も安全に利用できるものである。また、各実施の形態において同じ構成は同じ符号を付して説明し、異なった構成は異なった符号を付して説明する。
【０００９】
図１は第１の実施の形態の手摺り１を示したものである。この手摺り１は集合住宅の開放廊下における高さ約１．１ｍの墜落防止柵２に設置されたものであり、健常者用手摺り３と、これよりも低い位置に設置された高齢者用手摺り４とから構成されている。この墜落防止柵２は、適宜間隔ごとに設置された支柱５の頂部間に設置された健常者用手摺３と、支柱５の下部間に架設された健常者手摺り３と平行な横パイプ６と、この横パイプ６と健常者手摺り３との間に適宜間隔ごとに設置された縦パイプ７とから構成され、健常者手摺り３よりも低い箇所、高さが約０．８５〜０．９０ｍの箇所に高齢者用手摺り４が設置されている。
【００１０】
この高齢者用手摺り４は複数の短尺管８がラッチ９で長さ方向に連続的に接続されて形成されている。これらの各短尺管８は一つおきの支柱５に回転軸１０で回転自在に支持され、該回転軸１０の取り付けられた支柱５に隣接した支柱５ａにおいて他の短尺管８に接合されている。
【００１１】
このラッチ９は、図４に示すように、各短尺管８の一端部からバネ１１で突出するように設けられ、隣接する短尺管８ａの嵌入部１２ａに入っている時は短尺管８、８ａ同士が接続され、ここから抜け出ると短尺管８、８ａ同士が分離される。またラッチ９は、嵌入部１２、１２ａに入り込みやすく、かつここから抜け出しやすくするために半楕円形に形成され、高齢者用手摺り４に４０ｋｇ以上の力が作用すると嵌入部１２、１２ａから抜け出るようなバネ１１の強さになっている。
【００１２】
この短尺管８は墜落防止柵２における一つの置きの支柱５に回転軸１０で回転自在に取り付けられ、この回転軸１０のある支柱５の両側の支柱５ａにおいて他の短尺管８ａとラッチ９で接合されている。この回転軸１０には楕円形のカム１３が設置され、このカム１３が上下から油圧シリンダ１４のロッド１５で挟持されている。このカム１３は短尺管８に作用する４０ｋｇ以下の力では回転しないように上下からロッド１５で押さえ付けられているが、短尺管８に４０ｋｇ以上の力が作用すると、図３に示すように、ロッド１５が上下に押されてカム１３が時計回りに回転し、この回転とともにラッチ９が嵌入部１２、１２ａから外れて短尺管８が回転するが、隣接した左右の短尺管８ａは回転せずに回転軸１０で支柱５に支持されている。
【００１３】
一方、回転軸１０を中心に回転した短尺管８は、上下の油圧シリンダ１４のロッド１５を上下に押してカム１３を反時計回りに回転させることにより元の位置に戻り、隣接した短尺管８ａに接続される。このとき回転した短尺管８のラッチ９は、回転しない一方側の短尺管８ａの嵌入部１２ａに嵌入されるとともに、回転しない他方側の短尺管８ａのラッチ９が回転した短尺管８の嵌入部１２に嵌入される。
【００１４】
したがって、高齢者用手摺り４に４０ｋｇ以下の力、例えば、高齢者が高齢者用手摺り４に身を預けて歩行する際の力（２５ｋｇ前後の力）が作用しても短尺管８は回転しないが、年少者が高齢者用手摺り４を足掛かりにして墜落防止柵２によじ登るときの力（４０ｋｇ以上の力）が作用すると、図４に示すように、短尺管８が回転軸１０を中心に回転して、年少者が高齢者用手摺り４を足掛かりにして墜落防止柵２によじ登れないようになっている。よって、高齢者は高齢者用手摺り４を手摺りとして使用することができるが、年少者はこれを足掛かりに使用することができない。
【００１５】
図５は第２の実施の形態の手摺り１７を示したものである。この手摺り１７は各短尺管８が支柱５に斜材１８で回転自在に取り付けられたものであり、これ以外は第１の実施の形態の手摺り１と同じ構成である。この高齢者用手摺り４は短尺管８、８ａがラッチ９で長さ方向に連続的に接続されて形成され、各短尺管８、８ａで墜落防止柵２における一つの置きの支柱５に取り付けられている。この斜材１８は上側が手前側に傾斜しかつ下側が回転軸１０で支柱５の側面に支持され、この回転軸１０に上記と同じカム１３が取り付けられ、このカム１３が上下の油圧シリンダ１４のロッド１５で上下から挟持されている。
【００１６】
したがって、高齢者用手摺り４に４０ｋｇ以下の力、例えば、高齢者が高齢者用手摺り４に身を預けて歩行する際の力（２５ｋｇ前後の力）が作用しても短尺管８は回転しないが、年少者が高齢者用手摺り４を足掛かりにして墜落防止柵２によじ登るときの力（４０ｋｇ以上の力）が作用すると、図５および図６に示すように、斜材１８の下部を中心に短尺管８が手前側、すなわち支柱５から離れるように回転して、年少者が高齢者用手摺り４を足掛かりにして墜落防止柵２によじ登れないようになっている。よって、高齢者は高齢者用手摺り４を手摺りとして使用することができるが、年少者はこれを足掛かりに使用することができない。
【００１７】
一方、斜材１８の下部を中心に回転した短尺管８は、上下の油圧シリンダ１４のロッド１５が上下に押されてカム１３を反時計回りに回転させると元の位置に戻り、隣接した左右の短尺管８ａに接続される。このとき回転した短尺管８のラッチ９は、回転しない一方側の短尺管８ａの嵌入部１２ａに嵌入され、回転しない他方側の短尺管８ａのラッチ９が回転した短尺管８の嵌入部１２に嵌入される。
【図面の簡単な説明】
【００１８】
【図１】第１の実施の形態の手摺りであり、（１）は正面図、（２）はＡ−Ａ線断面図である。
【図２】（１）はカムおよびシリンダーの断面図、（２）は（１）のＢ−Ｂ線断面図である。
【図３】回転するカムおよびシリンダの断面図である。
【図４】（１）は短尺管の接合部の断面図、（２）は回転する短尺管の接合部の断面図である。
【図５】第２の実施の形態の手摺りであり、（１）は正面図、（２）はＣ−Ｃ線断面図である。
【図６】（１）はカムおよびシリンダーの断面図、（２）は（１）のＤ−Ｄ線断面図である。
【図７】回転するカムおよびシリンダの断面図である。
【図８】従来の手摺りの断面図である。
【符号の説明】
【００１９】
１、１７  手摺り
２、１９  墜落防止柵
３、２０  健常者用手摺り
４、２１  高齢者用手摺り
５、５ａ  支柱
６  横パイプ
７  縦パイプ
８  短尺管
９  ラッチ
１０  回転軸
１１  バネ
１２  嵌入部
１３  カム
１４  油圧シリンダ
１５  ロッド
１８  斜材
【図１】
0004440841.tif 000002
【図２】
0004440841.tif 000003
【図３】
0004440841.tif 000004
【図４】
0004440841.tif 000005
【図５】
0004440841.tif 000006
【図６】
0004440841.tif 000007
【図７】
0004440841.tif 000008
【図８】
0004440841.tif 000009